(57)【特許請求の範囲】
【請求項１】
エレベータの運転を制御し、インジケータ情報を供給するエレベータ制御盤と、
直流電源を供給する直流電源装置と、
各階床に設けられ、それぞれ、前記エレベータ制御盤に伝送ケーブルを通じて接続され、前記直流電源装置に電源ケーブルを通じて接続され、エレベータの階床位置を表示するドットマトリックスＬＥＤ表示器を有し、前記エレベータ制御盤とのデータ伝送周期に同期し、かつ前記インジケータ情報に基づいて前記ドットマトリックスＬＥＤ表示器を点灯タイミングを各々ずらして点灯制御する複数の乗場インジケータとを備え、
前記乗場インジケータは、
前記エレベータ制御盤と前記インジケータ情報のデータ伝送を行うマイクロプロセッサと、
階床毎に点灯タイミングを任意に切換えるための異なる設定値が予め設定される切換設定装置と、
前記ドットマトリックスＬＥＤ表示器を駆動するドライバーと、
前記切換設定装置に設定された設定値を取り込み、前記ドライバーを介して、前記データ伝送周期から前記設定値分だけ時分割の開始タイミングをずらし、前記ドットマトリックスＬＥＤ表示器を時分割で点／消灯制御するタイミングを制御する点灯制御装置とを有する
ことを特徴とするエレベータのインジケータシステム。
【発明の詳細な説明】
【０００１】
【発明の属する技術分野】
この発明は、複数のドット式インジケータを時分割で点灯させるエレベータのインジケータシステムに関するもので、特に、各インジケータ毎に点灯スキャンの開始のタイミングをずらしたエレベータのインジケータシステムに関するものである。
【０００２】
【従来の技術】
従来のエレベータのインジケータシステムについて図面を参照しながら説明する。図３は、従来のエレベータのインジケータシステムの構成を示す図である。
【０００３】
図３において、１はエレベータ制御盤、２ａ〜２ｃは乗場インジータ、３はドットマトリックスＬＥＤ表示器、４はＬＥＤ表示器３を駆動するドライバー、５はエレベータ制御盤１とのデータ通信およびドライバー４を制御するマイクロプロセッサ、６は乗場インジケータ用の直流電源装置、７はエレベータ制御盤１と乗場インジケータ２間を接続する伝送ケーブル、８は直流電源装置６と乗場インジケータ２間を接続する電源ケーブルである。
【０００４】
つぎに、従来のエレベータのインジケータシステムの動作について図面を参照しながら説明する。
【０００５】
図４は、従来のエレベータのインジケータシステムの動作を示すタイミングチャートである。
【０００６】
乗場インジケータ２内のマイクロプロセッサ５は、伝送ケーブル７を介してエレベータ制御盤１とデータ伝送を行う。マイクロプロセッサ５は、伝送されてくるインジケータ情報により、データ伝送処理に同期して、ドライバー４を介し、ドットマトリックスＬＥＤ表示器３を点灯制御する。
【０００７】
図４は、図３に示した各乗場インジケータに流れる電流波形の一例である。同図（ａ）及び（ｂ）に示す波形１ａ及び１ｂは、各階床の乗場インジケータ２の電流波形であり、（ｃ）に示す波形２は、直流電源装置６の出力電流波形である。
【０００８】
なお、このときのドットマトリックスＬＥＤ表示器３は、横５ドット×縦７ドット、ＬＥＤの点灯は、デューティー比＝１／７で縦方向に時分割で点灯制御され、表示文字は”７”である。
【０００９】
ここで、各階床の乗場インジケータは、全て同じ機器で、同じ文字を表示している。よって、全ての同じプログラムにより動作していると共に、エレベータ制御盤１とのデータ通信によって処理動作は同期している。
【００１０】
つまり、各階床の乗場インジケータ２は、同一タイミングによりドットマトリックスＬＥＤ表示器３の点灯制御を行なっていることになり、各階床のピーク電流も同じタイミングで流れることとなる。
【００１１】
よって、直流電源装置６の出力電流は、直流電源装置６へ接続された各階床の乗場インジケータ２の台数の総和となることから、図４（ｃ）に示す波形２のようなものとなる。
【００１２】
【発明が解決しようとする課題】
上述したような従来のエレベータのインジケータシステムでは、直流電源装置６が電源を供給する乗場インジケータの台数×ピーク電流分だけ必要となるとともに、直流電源装置６に対する時間的な負荷電流の変化量も大きくなるため、使用する直流電源装置６は電源容量が大きく、動的負荷変動特性の優れた直流電源装置６が必要であるという問題点があった。
【００１３】
また、電源の負荷電流が大きく変化することから、これら機器から発生する放射ノイズも結果的に大きくなり、ラジオノイズなどの問題を引き起こす要因ともなっていた。
【００１４】
この発明は、前述した問題点を解決するためになされたもので、直流電源装置から電源供給される乗場インジケータに点灯タイミングを制御する点灯制御装置を有し、これにより各階床の乗場インジケータのドットマトリクスＬＥＤ表示器の点灯タイミングをずらして点灯させることにより、直流電源装置の負荷電流が乗場インジケータの接続台数×ピーク電流とならないようにするとともに、直流電源装置の時間的な負荷変動を平均化することができるエレベータのインジケータシステムを得ることを目的とする。
【００１５】
【課題を解決するための手段】
この発明の請求項１に係るエレベータのインジケータシステムは、エレベータの運転を制御し、インジケータ情報を供給するエレベータ制御盤と、直流電源を供給する直流電源装置と、各階床に設けられ、それぞれ、前記エレベータ制御盤に伝送ケーブルを通じて接続され、前記直流電源装置に電源ケーブルを通じて接続され、エレベータの階床位置を表示するドットマトリックスＬＥＤ表示器を有し、前記エレベータ制御盤とのデータ伝送周期に同期し、かつ前記インジケータ情報に基づいて前記ドットマトリックスＬＥＤ表示器を点灯タイミングを各々ずらして点灯制御する複数の乗場インジケータとを備え、前記乗場インジケータは、前記エレベータ制御盤と前記インジケータ情報のデータ伝送を行うマイクロプロセッサと、階床毎に点灯タイミングを任意に切換えるための異なる設定値が予め設定される切換設定装置と、前記ドットマトリックスＬＥＤ表示器を駆動するドライバーと、前記切換設定装置に設定された設定値を取り込み、前記ドライバーを介して、前記データ伝送周期から前記設定値分だけ時分割の開始タイミングをずらし、前記ドットマトリックスＬＥＤ表示器を時分割で点／消灯制御するタイミングを制御する点灯制御装置とを有するものである。
【００１７】
【発明の実施の形態】
実施の形態１．
この発明の実施の形態１に係るエレベータのインジケータシステムについて図面を参照しながら説明する。図１は、この発明の実施の形態１に係るエレベータのインジケータシステムの構成を示す図である。なお、各図中、同一符号は同一又は相当部分を示す。
【００１８】
図１において、１はエレベータ制御盤、２ａ〜２ｃは乗場インジータ、３はドットマトリックスＬＥＤ表示器（デジタル位置表示器）、４はドットマトリックスＬＥＤ表示器３を駆動するドライバー、５はエレベータ制御盤１とのデータ通信およびドライバー４を制御するマイクロプロセッサ、６は乗場インジケータ用の直流電源装置、７はエレベータ制御盤１と乗場インジケータ２間を接続する伝送ケーブル、８は直流電源装置６と乗場インジケータ２間を接続する電源ケーブルである。
【００１９】
また、同図において、５ａはドットマトリックスＬＥＤ表示器３の点灯タイミングを制御する点灯制御装置、９は点灯タイミングを任意に切換えるための切換設定装置である。
【００２０】
つぎに、この実施の形態１に係るエレベータのインジケータシステムの動作について図面を参照しながら説明する。
【００２１】
図２は、この発明の実施の形態１に係るエレベータのインジケータシステムの動作を示すタイミングチャートである。
【００２２】
Ｎ階の乗場インジケータ２ａ、Ｎ−１階の乗場インジケータ２ｂ、Ｎ−（Ｎ−１）階の乗場インジケータ２ｃは、直流電源装置６から直流電源を供給されている。各階床の乗場インジケータ２ａ〜２ｃは、基本的に同じ構成であり、エレベータ制御盤１とは伝送ケーブル７を介してデータ伝送を周期的に行う。
【００２３】
これにより、マイクロプロセッサ５は、エレベータ制御盤１から受信したインジケータ情報をもとにドットマトリヅクスＬＥＤ表示器３を、点灯制御装置５ａにより、ドライバー４を介して、時分割で点／消灯制御する。この際、時分割の点／消灯制御は、エレベータ制御盤１とのデータ伝送周期に同期して行われる。
【００２４】
つまり、各階床の乗場インジケータ２ａ〜２ｃのドットマトリックスＬＥＤ表示器３の時分割の点／消灯制御処理は、エレベータ制御盤１とのデータ伝送により各階床問において同期している。
【００２５】
ここで、各乗場インジケータ２ａ〜２ｃに設けられた切換設定装置９により、各階床のそれぞれの乗場インジケータ２ａ〜２ｃに異なった値を設定する。例えば、ロータリースイッチなどにより数値を設定する。また、マイクロプロセッサ５には、この切換設定装置９に設定された値を取り込んで、この値によりドットマトリックスＬＥＤ表示器３を時分割で点／消灯制御するタイミングを制御するための点灯制御装置５ａを設ける。例えば、ロータリースイッチで設定された数値分だけ、時分割の開始タイミングをずらすような制御である。
【００２６】
図２に示す例では、ドットマトリックスＬＥＤ表示器３が横５ドット×縦７ドットであり、直流電源装置６には７階床分の乗場インジケータが接続されている。つまり、Ｎ＝７である。
【００２７】
また、ドットマトリックスＬＥＤ表示器３は、デューティー比＝１／７で縦方向に時分割で点灯制御され、表示文字は、”７”である。例えば、各乗場インジケータ２ａ〜２ｃの切換設定装置９が、それぞれ設定値Ｓとして、Ｓ（Ｎ）＝７、Ｓ（Ｎ−１）＝６、Ｓ（Ｎ−（Ｎ−１））＝１と設定されると、Ｎ階の乗場インジケータ２ａにおいて、マイクロプロセッサ５は点灯制御装置５ａによりこの値（＝７）を読込み、ドットマトリックスＬＥＤ表示器３の縦７行目から時分割の点／消灯制御を始める。
【００２８】
同様に、Ｎ−１階の乗場インジケータ２ｂは、縦１行目から時分割の点／消灯制御を始める。このようにして、各階床の乗場インジケータ２ａ〜２ｃの電流波形（図２の波形１ａ〜ｌｃ）が得られる。
【００２９】
すなわち、「７−Ｓ」により演算されるタイミングだけ、エレベータ制御盤１からの同期に遅れて順に表示させることを意味する。故に、時分割における、エレベータ制御盤１と同期した時点では、Ｎ階の乗場インジケータ２ａはドットマトリックスＬＥＤ表示器３の下から７行目、Ｎ−１階の乗場インジケータ２ｂはドットマトリックスＬＥＤ表示器３の最下行、Ｎ−（Ｎ−１）階の乗場インジケータ２ｃはドットマトリックスＬＥＤ表示器３の６行目の点灯の要否をそれぞれ判断し、必要に応じて点灯させることを示す。
【００３０】
よって、直流電源装置６の出力電流は、これら各乗場インジケータ２ａ〜２ｃの総和の電流となることから、図２の波形２のように平均化された形で得られることになる。
【００３１】
以上のように、この実施の形態１によれば、乗場インジケータ２ａ〜２ｃヘの直流電源装置６の出力電流のピークを抑え、負荷電流を平均化できるため、これに用いる直流電源装置６の選定や設計に当たって電源容量や動的負荷変動特性に対する要求を軽減できることから、より安価な直流電源装置を使用できるようになる。
【００３２】
【発明の効果】
この発明の請求項１に係るエレベータのインジケータシステムは、以上説明したとおり、エレベータの運転を制御し、インジケータ情報を供給するエレベータ制御盤と、直流電源を供給する直流電源装置と、各階床に設けられ、それぞれ、前記エレベータ制御盤に伝送ケーブルを通じて接続され、前記直流電源装置に電源ケーブルを通じて接続され、エレベータの階床位置を表示するドットマトリックスＬＥＤ表示器を有し、前記エレベータ制御盤とのデータ伝送周期に同期し、かつ前記インジケータ情報に基づいて前記ドットマトリックスＬＥＤ表示器を点灯タイミングを各々ずらして点灯制御する複数の乗場インジケータとを備え、前記乗場インジケータは、前記エレベータ制御盤と前記インジケータ情報のデータ伝送を行うマイクロプロセッサと、階床毎に点灯タイミングを任意に切換えるための異なる設定値が予め設定される切換設定装置と、前記ドットマトリックスＬＥＤ表示器を駆動するドライバーと、前記切換設定装置に設定された設定値を取り込み、前記ドライバーを介して、前記データ伝送周期から前記設定値分だけ時分割の開始タイミングをずらし、前記ドットマトリックスＬＥＤ表示器を時分割で点／消灯制御するタイミングを制御する点灯制御装置とを有するので、直流電源装置の出力電流のピークを抑えることができ、負荷電流を平均化でき、ひいては直流電源装置を安価にすることができるという効果を奏する。
【図面の簡単な説明】
【図１】  この発明の実施の形態１に係るエレベータのインジケータシステムの構成を示す図である。
【図２】  この発明の実施の形態１に係るエレベータのインジケータシステムの動作を示すタイミングチャートである。
【図３】  従来のエレベータのインジケータシステムの構成を示す図である。
【図４】  従来のエレベータのインジケータシステムの動作を示すタイミングチャートである
【符号の説明】
１  エレベータ制御盤、２ａ、２ｂ、２ｃ  乗場インジータ、３  ドットマトリックスＬＥＤ表示器、４  ドライバー、５  マイクロプロセッサ、５ａ  点灯制御装置、６  直流電源装置、７  伝送ケーブル、８  電源ケーブル、９  の切換設定装置。
【図１】
0004223231.tif 000002
【図２】
0004223231.tif 000003
【図３】
0004223231.tif 000004
【図４】
0004223231.tif 000005